Podtech/llm-jp-corpus-v4-ja_patent huggingface dataset:
(57)【要約】【課題】この集音具を収容する容器の構造は、集音具を破壊から守るための強度を持ち、しかも軽くて携帯に便利な形状構造に、する必要がある。【解決手段】容器の構造材は金属、樹脂のうち樹脂を採用する。その構造の上面は回転面を主とした曲面にし、底面は平面にする。蓋の構造は補強構造を持った形状で、曲面にかかる破壊力を支える必要がある。集音具を収容する本体と蓋は蝶番などで連結する。【選択図】図３
0003130097.tif 000002
【実用新案登録請求の範囲】
【請求項１】
音を反射する材料を用いて、その内面を放物線回転面あるいは楕円回転面に形づくり、回転面の軸線を顔の前方に向け、回転面の軸線に平行な平面で回転面を切断した座をつけ、座に耳殻をくぐらせる孔を設け、耳殻を覆い側頭部にとりつける集音具の容器（ケース）について、集音具を収容する部分は、その上面は回転面を主とした曲面にし、底面は平面にして、蓋は補強構造をつけたものとし、集音具を収容する部分と蓋とは蝶番など開閉自在にした容器。
【考案の詳細な説明】
【技術分野】
【０００１】    この考案の考案者は、２００２年６月に集音具に関する発明をし特許権（特許第３６５８７３１号）を採ったが、その後集音具の容器（ケース）の構造について考案をした。以下にその詳細を説明する。
【考案の開示】
【考案が解決しようとする課題】
【０００２】    この集音具を収容する容器の構造は、集音具を破壊から守るための強度を持ち、しかも軽くて携帯に便利な形状構造にする必要がある。
【課題を解決するための手段】
【０００３】    この集音具は、「音を反射する材料を用いて、その内面を放物線回転面あるいは楕円回転面に形つくり、回転面の軸線を顔の前方に向け、回転面の軸線に平行な平面で回転面を切断した座をつけ、座に耳殻をくぐらせる孔を設け、耳殻を覆い側頭部に取り付ける集音具」であるが、一対の集音具を２本の弾性を有するひもあるいは帯により連結し、一対の集音具を両耳にとりつけて使用する場合が多い。
この集音具は左右の集音具が同型であるために、重ねて置くことができる。図１はその体裁をしめす。
容器の構造材は金属、樹脂などが考えられるが、この場合樹脂が望ましい。集音具を収容する容器は、その上面は回転面を主とした曲面にする必要があり、底面は平面の必要がある。また蓋の構造は集音具を破壊から守るために、補強構造を持たせる必要があり、そのために複雑な形状を採用することが必要であるから射出成形が望ましい。図２は容器の蓋を開いた構造を示す。点線で示すのは蓋を支える蝶番などの構造である。図３は蓋を装着した形状で補強構造を採る必要があると考える。回転面を主とした曲面は、蓋の補強構造により、破壊から守らがあると考える。回転面を主とした曲面は、蓋の補強構造により、破壊から守られる。【０００４】    図４は容器の内容に集音具を収納した状態を示す参考図である。
【図面の簡単な説明】
【０００５】
【図１】集音具は左右の集音具が同型であるために、重ねて置くことができる。図１はその体裁を示す。
【図２】容器の蓋を開いた構造を示す。
【図３】容器の蓋を装着した構造を示す。蓋は補強構造を採る必要がある。
【図４】容器に集音具を収納した状態を示す。
【図１】
0003130097.tif 000003
【図２】
0003130097.tif 000004
【図３】
0003130097.tif 000005
【図４】
0003130097.tif 000006
(57)【要約】      （修正有） 【課題】設置による経済的負担やスペースを抑えるとともに、視認効果、操作性及び持ち運びに優れた表示具を提供する。【解決手段】捲回形状が記憶されたシート１の両端に一対の円筒体２を接着し、それぞれの円筒体２の中に軸となる一対の把手軸部３ｂと把手本体部３ａとが両端において接合された一対の把手３をそれぞれ連絡することにより、シート１の捲回及び解捲を容易にすることが可能となり、持ち運びに優れたコンパクトなサイズとなるとともに、把手３の少なくとも一方に取り付けた着脱可能な固定用具４を用いることにより長時間の掲示にも役立つ。【選択図】  図１
0003130099.tif 000002
【実用新案登録請求の範囲】
【請求項１】
捲回形状が記憶されたシートと該シートの両側に設けられた円筒体及び該各円筒体とそれぞれ連絡する一対の把手とからなる表示具であって、前記シートは前記円筒体の外周に捲回され、前記把手は把手本体部と前記円筒体中に挿入された軸部とからなり、該把手本体部と該軸部とはそれぞれの両端において接合されており、前記把手間の距離を広げることによって前記シートの捲回が解捲されることを特徴とする表示具
【請求項２】
前記把手本体部の少なくとも一方に、固定部材を設けたことを特徴とする請求項１に記載の表示具
【考案の詳細な説明】
【技術分野】
【０００１】
本考案は、屋内外の多目的な用途に利用するための表示具に関する。
【背景技術】
【０００２】
販売、広告、宣伝及び応援等の様々な用途に、ポリエステルや綿等の基材に印刷を施した懸垂幕、横断幕、シート状等の表示具が使用されてきた。
【特許文献１】特開２００３−２４８４４９３公報
【特許文献２】実登３０９０４０９号公報
【考案の開示】
【考案が解決しようとする課題】
【０００３】
しかしながら、従来使用されてきた表示具は設置による経済的負担も大きく、スペースも必要となる。さらに、多目的な用途にて使用するための軽量化及び携帯性を高めることにより、視認性及び操作性が著しく低下してしまう問題があった。
【課題を解決するための手段】
【０００４】
本考案は、捲回形状が記憶されたシートと該シートの両側に設けられた円筒体及び該各円筒体とそれぞれ連絡する一対の把手とからなる表示具において、前記シートはポリプロプレン等適宜基材を用いるために視認効果が高い絵、文字、デザイン等の印刷が可能となる。前記把手は把手本体部と前記円筒体中に挿入された軸部とからなり、該把手本体部と該軸部とはそれぞれの両端において接合されており、前記円筒体が該軸部を中心として円滑に回転するように設計されている。又、前記シートは、該シートの捲回特性を利用して前記円筒体の外周に捲回され容易に携帯できるコンパクトなサイズになるとともに、前記把手間の距離を広げることによって、前記シートの捲回が解捲されることにより、印刷部分が表示される表示具として上記課題を解決するものである。
【考案の効果】
【０００５】
上述の様に、本考案の表示具は前記捲回時には携帯容易なコンパクトなサイズとなり、持ち運びに優れるとともに、把手間の距離を広げる簡易な操作により印刷部分の表示ができるため操作性が高い。また、前記シートにポリプロピレン等の適宜基材を使用することにより、鮮明な印刷が可能であるとともに、天候に左右されずに視認性及び耐久性が高い効果を実現できる。又、円筒体及び把手にも軽量基材を用いることにより軽量化及び携帯化を図ることが可能であるとともに、該把手に取り付けた着脱可能な固定用具を用いることにより窓、壁等に長時間掲示することができる。
【考案を実施するための最良の形態】
【０００６】
捲回形状が記憶されたシートは、視認効果及び耐久性が高いポリプロピレン等の適宜基材を使用し、円筒体がシートの捲回に応じて把手の軸部を中心として回転し、その円筒体の外周に捲回するために該シートの両端が該各円筒体に接着されているとともに、それぞれの円筒体は把手の軸部を中心として円滑に回転する径にて成型されている。又、把手は簡易に持ち易いように円弧形状に成型された把手本体部と円筒体が円滑に回転できるよう挿入された軸部とがそれぞれの両端にて結合し、一体化形成されており、各把手間の距離を広げることによって、シートの捲回が解捲されるとともに印刷部分が表示され、長時間掲示しておくために把手に着脱可能な固定用具を取り付けている。
【実施例】
【０００７】
以下添付図面に従って一実施例を説明する。１は軽量性、耐水性及び撥水性に優れたポリプロプレン等適宜基材にて捲回形状が記憶されたシート、２はシート１の両端に接着された耐久性プラスチックス等適宜素材の一対の円筒体、３は耐久性プラスチックス等適宜素材にて形成された一対の把手で、把手本体３aと各円筒体２中に挿入の軸３bとからなり、該把手本体３aと該軸３bはそれぞれの両端において一体として接合されている。シート１の両端に接着された各円筒体２が、軸３ｂを中心として円滑に回転することにより、該シート１が該各円筒体２の外周に捲回する。
また、前記把手間の距離を広げることによって、前記シートの捲回が解捲され、印刷部分を表示することができるとともに、壁、窓等に取り付けて掲示する場合には、固定用具４（吸盤やフック等）を用いることにより長時間の掲示が可能となる。
【図面の簡単な説明】
【０００８】
【図１】本考案の表示具の解捲時を示す平面図である。
【図２】本考案の表示具の捲回時を示す平面図である。
【図３】本考案の表示具の解捲時を示す断面図である。
【図４】本考案の表示具の捲回時を示す断面図である。
【図５】本考案の表示具の分解図である。
【符号の説明】
【０００９】
１  シート
２  円筒体
３  把手（把手本体部３ａと把手軸部３ｂとからなる）
４  固定部材
【図１】
0003130099.tif 000003
【図２】
0003130099.tif 000004
【図３】
0003130099.tif 000005
【図４】
0003130099.tif 000006
【図５】
0003130099.tif 000007
【手続補正書】
【提出日】平成18年12月26日(2006.12.26)
【手続補正１】
【補正対象書類名】図面
【補正対象項目名】図１
【補正方法】変更
【補正の内容】
【図１】
0003130099.tif 000008
【手続補正２】
【補正対象書類名】図面
【補正対象項目名】図５
【補正方法】変更
【補正の内容】
【図５】
0003130099.tif 000009
(57)【要約】【課題】室内ペット用のトイレであること。オス犬も使用でき、トイレ外を尿などの排泄物で汚染することがなく、かつ、排泄物が直視されにくい構造であること。組み立て・折りたたみが容易にでき軽量で運搬が可能であること。耐久性・耐腐食性・耐衝撃性にすぐれること。室内設置に適したデザインとすること。【解決手段】軽量であり耐久性・耐腐食性・耐衝撃性に優れたポリプロピレンを使用したプラスチックダンボールを使用し、組み立て・折りたたみ可能な箱型のトイレとする。また構造をペットの習性にあわせてデザインし、トイレの失敗の少ないものとする。シンプルなデザインとしインテリアとの調和を図る。【選択図】図１
0003130040.tif 000002
【実用新案登録請求の範囲】
【請求項１】
プラスチックダンボールを使用した組み立ておよび折りたたみ可能なペット用室内トイレ。
【考案の詳細な説明】
【技術分野】
【０００１】  本考案は、室内で飼育するペット用の折りたたみ可能な箱型のトイレに関するものである。
【背景技術】
【０００２】本考案と類似の構造の箱型の製品は紙、プラスチック、木材、金属などで製作可能である。しかし本考案と同様のサイズの製品を作成すると紙以外の材質では重量が重くなり移動や清掃などの際に問題が生じる。紙、木材、金属は腐食の問題がある。紙と木材は臭いや色が移る、清掃もしにくいという欠点が存在し、耐久性にも乏しい。紙を除いたこれらの素材では折りたたみ可能な製品の作成は困難である。
【考案の開示】
【考案が解決しようとする課題】
【０００３】市販されているペット用の室内トイレは大きく分けて２種類である。床におくフラットなトレイタイプ、そしてＬ字型の、オスの犬を対象としたトイレ（Ｌ字型：壁＋トレイ）である。前者のタイプのトイレにおいてはオスの排尿が問題となる。また両タイプとも犬の上半身のみトイレ内に位置し下半身はトイレの外、という問題は解決できない。たとえ壁の部分を３方向としても同様の問題が発生する。
これらの問題は室内犬を飼育する上で日常的かつ非常に大きな問題でありながら理想的な解決作となるトイレがないままである。
いままでのペット用トイレでは、排泄物が直接見えてしまい美的な面や、来客時に困るといった問題があった。犬側からすると見られていて落ち着かないという欠点もある。
清掃の観点からも移動が容易、全体を簡単に洗浄・乾燥することができ、腐食せず、汚れや臭いの付着が少ない材質が必要とされる。
不要時の折りたたみ収納や車での旅行時の携帯が可能な製品が望まれる。
本考案は、これらの問題を解決するためのものである。
【課題を解決するための手段】
【０００４】プラスチックダンボールを使用し折りたたみ可能とした。
ポリプロピレンを原料とするいわゆるプラスチックダンボールは工業用製品に使用されるなど耐久性・耐腐食性・耐衝撃性にすぐれ、中空の構造ゆえ軽量であり、焼却可能な環境的にもすぐれた素材である。本考案はこの素材の特性を活かし、ダンボール構造の易組み立て性、折りたたみ性をも盛り込んだ。また単なる「箱」ではなくペットの習性を充分に勘案して全体を設計した。
【考案の効果】
【０００５】大きさにもかかわらず軽量（１．５Ｋｇ）なため清掃、移動、旅行時の運搬などが非常に容易となった。折りたたみ可能なので不要時は収納スペースが最小限でよい。
耐久性・耐腐食性・耐衝撃性に優れるため丸洗いが可能となった。有毒ガスが出ないので焼却もできる。
オス・メス問わず利用可能。排泄物が直視されにくい長所がある。
壁の高さ、縦横比、出入り口の位置、大きさ、形態などがペットの習性にあわせてデザインされておりトイレの失敗が少ない。底部は新聞紙大のトイレ用シートにあわせた大きさであり、市販のシートが利用できる。オス犬用に壁にトイレシートを固定する粘着テープ付クリップを設けたためトイレシート以外の汚染がほとんどない。トイレシート設置忘れの場合も本体下のトレイが床の汚染を防止する。
素材の清潔感、シンプルさ、色彩の選択可能性などからどのようなインテリアにもマッチする。
【考案を実施するための最良の形態】
【０００６】全体を長方形の形態としペットの体が自然にトイレの長軸方向と平行になるように設計した。
これによりオス犬は排尿を長辺をなす壁に対しておこなうこととなる。この壁にはクリップを付けトイレシートを壁に固定できるようにした。
壁を四方に設けたことおよび出入り口に低い壁を作ったことによりペットはトイレの中に全身をいれることとなる。また出入り口の高さはトイレ躾期間中のペットがまたいで中に入る必要性を感じさせる高さを設けた。
全周の壁の高さはペットが飛び出すことのできない高さとし、出入り口を封鎖することでトイレ躾を可能とした。
本体の内部には床面のプレート、本体の下にはトレイを設置し強度と安定性、床の汚れ回避を狙った。
これらの構造をダンボール類似の折りたたみ可能な造作で構成した。
オス犬用に壁にトイレシートを固定する粘着テープ付クリップを設けた。
【図面の簡単な説明】
【０００７】
【図１】本考案の実施例を示す斜視図（長辺に出入り口があるタイプ）
【図２】本考案の実施例を示す斜視図（短辺に出入り口があるタイプ）
【図３】長辺に出入り口があるタイプの出入り口面の図
【図４】短辺に出入り口があるタイプの出入り口面の図
【図５】上方より内部を見た場合の底部の折りたたみ構造
【実施例１】
【０００８】構造は四方を壁で囲まれた長方形の立体であり、側壁の長辺あるいは短辺に出入り口（１）を設ける。出入り口部の立ち上がり（２）を約８ｃｍ程度の高さとする。立ち上がりの構造と高さにより犬は出入り口の立ち上がりを越えて、体全体をトイレの中に移動することとなる。オス犬は脚をあげて排尿する習性があるが、側壁が四方に設けられているためトイレの外を汚染することはない。側壁の長辺側にトイレシートをクリップにて付けることによりトイレ自体の汚染を防ぐことができる。また長方形の形態のためペットは短辺側に排尿することはしないこととなる。底部の形態と大きさは市販のトイレシートの規格に一致させてありトイレシートをぴったりと設置することができる。
箱の四隅は折り曲げ可能な構造となっており、底部は図５のごとくの折込構造とし、全体として紙製のダンボールのようにフラットに折りたためる。
【符号の説明】
【０００９】１  出入り口
２  出入り口部の立ち上がり
【図１】
0003130040.tif 000003
【図２】
0003130040.tif 000004
【図３】
0003130040.tif 000005
【図４】
0003130040.tif 000006
【図５】
0003130040.tif 000007
【手続補正書】
【提出日】平成18年8月16日(2006.8.16)
【手続補正１】
【補正対象書類名】実用新案登録請求の範囲
【補正対象項目名】全文
【補正方法】変更
【補正の内容】
【実用新案登録請求の範囲】
【請求項１】
長方形の箱型。
【手続補正書】
【提出日】平成18年12月6日(2006.12.6)
【手続補正１】
【補正対象書類名】実用新案登録請求の範囲
【補正対象項目名】全文
【補正方法】変更
【補正の内容】
【実用新案登録請求の範囲】
【請求項１】
四方に側壁を設け、底部を折込構造とした長方形箱型の、組み立てと折りたたみのできる、プラスチックダンボール製ペット用室内トイレ。
(57)【要約】      （修正有）【課題】放尿時に溜水面へ着水した尿が大きな着水音を発生せず、洗浄後の乾燥鉢面へ残留汚物が付着しない洋風便器を提供する。【解決手段】洋風便器便鉢内の溜水面下に、浅い水溜まりと深い水溜まりの部分を設け、小用時に浅い水溜まりの溜水面の部分を使用することにより、水跳ねの音や飛散が小さく押さえられる。洗浄後の浅い水溜まりの便鉢部分に付着した残留汚物は、水中で溶解して残らない。【選択図】図１
0003130085.tif 000002
【実用新案登録請求の範囲】
【請求項１】
洋風便器の便鉢内の溜水面下に、浅い水溜まりと深い水溜まりの部分を設けた便鉢形状の、洋風便器。
【考案の詳細な説明】
【技術分野】
【０００１】  本考案は、溜水面の部分での小用時の水跳ねの音が小さい洋風便器に関する。
【背景技術】
【０００２】  従来、洋風便器には、溜水面が小さな形式と大きな形式の二種類が存在する。溜水面が小さく乾燥面が大きな形式の便器は、放尿時の尿の便鉢乾燥面への着床音は小さいが便鉢洗浄後の便鉢乾燥面に汚物が残りやすく、残留汚物を放置すると臭いの発生源にもなる。したがって、この汚物の除去には手落しの作業が必要である。また、溜水面が大きな形式の便器は、放尿時の尿が水面に着水する時に大きな水跳ねの音を発生するが、便鉢洗浄後の便鉢面に汚物が残らないので手落し作業が不要であり、この形式は高級な便器として多く採用されている。
【考案の開示】
【考案が解決しようとする課題】
【０００３】  そこで、溜水面が大きく、小尿時に溜水面へ着水した尿の水跳ね音が小さく、便鉢内洗浄後に便鉢面へ汚物が残らず、仮に汚物が残存しても手落し作業が不要な機能を兼ね備えた便器が望まれる。
【課題を解決するための手段】
【０００４】この課題を解決するために、洋風便器の便鉢内の溜水面下に、浅い水溜まりと深い水溜まりの部分を設けた便鉢形状の洋風便器（図１）を考案した。
【考案の効果】
【０００５】  本考案により、小用時には、浅い水溜まりの溜水面の部分を使用すれば、浅い水溜まり部分の溜水面に着水した尿は、浅い水溜まりの層を通過して便鉢表面で飛散するから、浅い水溜りの深さを加減することにより、水跳ねの音が小さく押さえられ、尿混合水の飛散の範囲も小さくなる。鉢洗浄後の浅い水溜まり内での鉢表面に付着した残留汚物は、浅い水溜まりの水中で溶解して消滅するから、残留汚物の手落し作業は不要である。
【考案を実施するための最良の形態】
【０００６】  本考案に係る洋風便器は、図１に示すように、便鉢内の溜水面（１）の下方の部分に浅い水溜まり（４）の部分と深い水溜まり（５）の部分とが設けられている。この浅い水溜まり（４）の部分の深さを３ミリ〜１５ミリ程度とすることも考えられる。尚深さを３０ミリ以上とすると、深い水溜りと同じになり水跳ねの音は大きい。【０００７】  前記の、深さ程度の浅い水溜まり（４）の溜水面（１）に尿が着水すると、浅い水溜まり（５）の表層へ着水した尿は、浅い水中を通過して便鉢の表面（３）で飛散するから、便鉢表面（３）での水跳ねの音は、便鉢の乾燥面に着水して作用する場合と同じ程度に小さく押さえられる。【０００８】  また、便鉢内洗浄後の便鉢面に付着した残留汚物も、浅い水溜まり（５）の水中で溶解して残らないから、残留汚物の手落し作業は不要である。【０００９】  そして図２に示すように、便鉢の表面（３）の浅い水溜り（４）の深い水溜まり（５）寄りの部分に便鉢勾配（６）の傾斜を設けると、この便鉢勾配（６）の部分に排便した便は自重により深い水溜まり（５）の低層へ移動し、溜水面近くの上層部分に便が残ることは無い。
【図面の簡単な説明】
【００１０】
【図１】    便器断面図
【図２】    便器平面図
【符号の説明】
１・・溜水面            ２・・便鉢                ３・・便鉢の表面
４・・浅い水溜まり      ５・・深い水溜まり        ６・・便鉢勾配
７・・排出ロ            ８・・上昇部排出口
【図１】
0003130085.tif 000003
【図２】
0003130085.tif 000004
【手続補正書】
【提出日】平成18年12月4日(2006.12.4)
【手続補正１】
【補正対象書類名】明細書
【補正対象項目名】０００９
【補正方法】削除
【補正の内容】
【手続補正２】
【補正対象書類名】図面
【補正対象項目名】全図
【補正方法】変更
【補正の内容】
【図１】
0003130085.tif 000005
【図２】
0003130085.tif 000006
(57)【要約】【課題】この考案は、使用者が、使用時には必ず目をやり、目を配るこの化粧用綿の目安表示の部分に着目し、この注目される目安表示の部分に、例えば，化粧品メーカー等の商標も併せて刻印することにより広告宣伝をしようとすることを目的とした商標入り化粧用綿を開発・提供するものである。【解決手段】適量の目安表示（２）を表面に有する化粧用綿（１）において、該目安表示（２）の内部、あるいは外部に、商標（３）を併せて刻印したことを特徴とする商標入り化粧用綿から構成される。【選択図】    図１
0003130090.tif 000002
【実用新案登録請求の範囲】
【請求項１】
適量の目安表示（２）を表面に有する化粧用綿（１）において、該目安表示（２）の内部、あるいは外部に、商標（３）を併せて設けたことを特徴とする商標入り化粧用綿。
【考案の詳細な説明】
【技術分野】
【０００１】
この考案は、商標入り化粧用綿に関するものである。
【背景技術】
【０００２】
従来、化粧用綿は、製綿された綿素材を、矩形や円形の所定寸法にカットされたものであり、その表面または裏面には製綿時の綿繊維による流れ模様が見えるだけであり、この化粧用綿に化粧水を含ませる際には、目分量で含ませるか、あるいは、掌に採った状態で化粧綿に含ませ、裏側まで滲み通った状態から判断し、使用量の目安としていた。
【０００３】
しかし、このような使用方法では、実際に適量を使用しているのか、否か、が不明であり、特に、高価な化粧水であれば、無駄な量を使用することは極めて不経済であり、そのため本件出願人は、化粧用綿の表面に適量の目安表示を有する化粧用綿の製造方法を発明した。（例えば、特許文献１のように。）
【特許文献１】特許第３０１３１７５号公報
【０００４】
そして、この化粧用綿におけるこの目安表示の部分は、化粧水等の化粧液を含ませたりする関係上、この化粧用綿を使用する者，即ち、化粧をする者にとっては、必ず、目にし、かつ、目を配る箇所であることが判明した。
【考案の開示】
【考案が解決しようとする課題】
【０００５】
そこでこの考案は、使用者が、使用時には必ず目をやり、目を配るこの化粧用綿の目安表示の部分に着目し、この注目される目安表示の部分に、例えば，化粧品メーカー等の商標も併せて刻印することにより広告宣伝をしようとすることを目的とした商標入り化粧用綿を開発・提供するものである。
【課題を解決するための手段】
【０００６】
そして、この課題を解決する為の手段として、化粧用綿におけるこの目安表示の部分に着目し、該目安表示の内部、および目安表示の外周のスペース部分を有効に利用するため、例えば，化粧品会社のブランド等商標を、目安表示と一体にあるいは、別個に刻印することを特徴とする商標入り化粧用綿である。
【考案の効果】
【０００７】
この考案によると、化粧綿の製造工程において、各化粧用綿（１）の表面に目安表示（２）を刻印をしており、この目安表示（２）の内部あるいは外周に商標（３）を同時にセットして刻印すれば、簡単に製造でき、また、化粧綿に、化粧品メーカーの商標を刻印することにより、極めて広告効果を高めることが出来る等極めて有益なる効果を奏するものである。
【考案を実施するための最良の形態】
【０００８】
次に、この考案の好適な一実施例を図面に基づいて説明すると、使用する化粧品（例えば，化粧水）の適量を表示する目安表示（２）を表面に有する化粧用綿（１）において、該目安表示（２）の内部、あるいは外部に商標（３）を併せて設けたことを特徴とする商標入り化粧用綿から構成される。
【０００９】
尚、化粧用綿（１）の形状は、矩形、三角形、四角形、多角形、円形また楕円であってもてもよく、その形状は特に限定しない。
【００１０】
さらに、目安表示（２）の具体的な例は、リング状であるが、この形状に限定されることはなく、また、商標とは、文字、図形、記号若しくはこれらの結合をいう。
【００１１】
また、化粧用綿（１）に商標を（３）を設ける具体的な手段としては、巻き取られた幅広の化粧綿を、適宜の所定寸法の横幅で、帯状に切断され、各々の帯状の化粧用綿（１）を適宜の幅にカットする前に、目安表示（２）と商標（３）の刻印とを同時に押圧することにより設けるものである。
【図面の簡単な説明】
【００１２】
【図１】この考案の一実施例を示す平面図である。
【図２】この考案の他の実施例を示す平面図である。
【符号の説明】
【００１３】
１  化粧用綿
２  目安表示
３  商標
【図１】
0003130090.tif 000003
【図２】
0003130090.tif 000004
【手続補正書】
【提出日】平成18年12月20日(2006.12.20)
【手続補正１】
【補正対象書類名】実用新案登録請求の範囲
【補正対象項目名】全文
【補正方法】変更
【補正の内容】
【実用新案登録請求の範囲】
【請求項１】
５ｍｍ程度の厚みを有し、５．５ｍｍ×７ｍｍ程度の矩形状の化粧用綿であって、該化粧綿に化粧液を含ませるための適量の目安となる目安表示（２）を表面に形成した化粧用綿（１）を設け、該化粧用綿（１）の目安表示（２）部分の内部、あるいは、外部に商標（３）を併せて形成したことを特徴とする商標入り化粧用綿。
(57)【要約】      （修正有）【課題】固定シート本体の片面に粘着剤層を設け、シート本体素材の特性である粘着性・再剥離性を活かして、掲示物を固定壁面へ自在に貼ったりはがしたりができ、且つはがし残し汚れを防ぎ壁面保護をしながら、掲示物を固定することのできるシートを提供する。【解決手段】シート本体２の片面に粘着剤層３を設け、掲示物固定用シート１としたものであり、粘着剤層には、掲示物５を付着させ、本シート本体２には、ガラス板等の平滑な固定対象４を付着させる事により、掲示物５を固定対象４に固定させる事ができるものである。また、自在に掲示物５を貼ったりはがしたりする事が可能であり、且つ固定対象４へは、シート本体２の素材の特性が活かされているため、従来のセロテープ等による粘着素材のはがし残し汚れを防ぎ、固定対象であるガラス板等の壁面保護をしながら、掲示物を固定するものとして役立つ。【選択図】図２
0003130082.tif 000002
【実用新案登録請求の範囲】
【請求項１】
固定対象に接触させることによりこの固定対象に付着可能であって、且つ付着した固定対象から再剥離可能な材料によって形成されたシート本体（２）と、
前記シート本体（２）の片面に設けられた粘着剤層（３）と
を有することを特徴とする掲示物固定シート（１）。
【請求項２】
前記シート本体（２）を形成する材料は、弾性を有することを特徴とする請求項１に記載の掲示物固定シート（１）。
【考案の詳細な説明】
【技術分野】
【０００１】  本考案は、シート片面に粘着剤層が備えられ掲示物を接着する事ができ、もう一方の片面には、粘着性（再剥離性も有する）が備えられ、ガラス板等平滑な壁面を汚さずに掲示物を貼ったり、はがしたりする事のできるシートに関するものである。
【背景技術】
【０００２】  商店やビル等において、ガラス板等平滑な壁面に貼られる広告紙やポスターその他の表示の掲示物は、セロハンテープやガムテープ又は両面テープ等で、貼りつけられる事が多く長期間使用していると、粘着素材が、ガラスや壁面等に付着し、掲示物をはがした際、はがし残し汚れがついてしまっていた。
【考案の開示】
【考案が解決しようとする課題】
【０００３】  セロハンテープやガムテープ、両面テープ等を使用して掲示物を貼ると、その粘着素材が掲示物をはがした際にガラス面等を汚し、なかなかその汚れが落としずらいものであった。  しかし本シートは、掲示物側には本シートの粘着剤層の部分を付着させ、反対側のガラス板等の平滑な壁面側には、本シートの粘着性（再剥離性も有する）の部分を貼り付ける為従来の様なセロハンテープ等による粘着素材の付着汚れ残しがついてしまうという欠点を解決しようとするものである。
【課題を解決するための手段】
【０００４】  本考案は粘着性と再剥離性を有する材料で形成されたシート本体（２）をガラス等の平滑な面に付着させ、前記シート本体のもう一方の片面に設けられた粘着剤層（３）には、広告、ポスター等の掲示物を付着させ、掲示物を固定対象に固定する事を可能にし、且つ掲示物をはがした際、粘着剤によるはがれ残し汚れを固定対象につけてしまうという問題点を解決する。
【考案の効果】
【０００５】  上述の様に本考案の掲示物固定シートは、商店、事務所、家庭等さまざまな場所においてガラス板、プラスチック扉、ホワイトボード、スチール壁など平滑な面に掲示物を固定する際平滑な面を汚す事なく、簡単に掲示物を貼ったりはがしたりする事が出来、従来使用されているセロテープ、ガムテープ、両面テープ等による粘着素材のはがし残し汚れを防止しながら掲示物を固定するものとして役立つ。
【考案を実施するための最良の形態】
【０００６】
0003130082.tif 000003
再剥離性を有する素材）には、ガラス板等の平滑な面を付着させ掲示物を固定する。  本シートの特性上、固定面へは自在に掲示物を貼ったりはがしたりする事ができ、はがした際、固定面へ汚れを残す事もない。
【実施例】
【０００７】  以下、図面を参照しながら本考案の実施の形態について説明する。
図１は、本考案の一実施例である掲示物固定シートの斜視図である。図に示すように、掲示物固定シート１は、板状のシート本体２と、シート本体２の片面に設けられた粘着剤層３とを有している。【０００８】  シート本体２は、粘着性などを有することにより固定対象に付着可能であると共に、一旦付着した固定対象から糊跡などを残さずきれいに剥離する再剥離性を有する材料で形成されたシート状の部材である。このシート本体２をガラス板、プラスチック扉、ホワイトボード、スチール壁など平滑な面を有する固定対象に押しつけることによりシート本体２を固定対象に貼り付けておくことができる。シート本体２を形成する材料としては、いわゆる高分子ゲル、例えばポリウレタンゲルなどである。なお、シート本体２を形成する材料は必ずしもゲルに限られるわけではなく、同等の付着性、再剥離性を有する素材であれば、どのようなものでも構わない。また、シート本体２を形成する材料は、さらに弾性を有していてもよい。弾性を有するシート本体２を固定対象に押しつけることにより吸盤と同様に機能し、より強固に固定対象に付着させることが可能となる。【０００９】  粘着剤層３は、掲示物であるポスターなどをシート本体２に固定する役割を有する。なお、粘着剤層３は糊などをシート本体２にと付することにより形成されてもよいし、両面粘着シートをシート本体２に貼り付けることで形成されてもよい。【００１０】    また、図１に示す掲示物固定用シート１は、方形の形状を有するものとして図示したが、掲示物固定シート１は方形に限らず、円形、多角形などどのような形状であっても構わない。また、必ずしも掲示物固定シート１は平板状である必要はなく、例えば吸盤状の形状であっても構わない。【００１１】  図２は、本掲示物固定シート１により掲示物を固定対象に固定した状態を示す図である。固定対象４は、例えば窓カラスのガラス、壁面、ホワイトボードなどである。掲示物５を掲示物固定シート１により固定対象４に取り付けるには、掲示物固定シート１の粘着剤層３が設けられていない面を固定対象４に押しつけ、シート本体２の付着性により固定対象４に貼り付ける。一方、掲示物５を粘着剤層３に押しつけることにより掲示物５は掲示物固定シート１に接着され固定される。その結果、固定対象４に固定された掲示物固定シート１が、掲示物５を固定対象４に固定することとなる。【００１２】  なお、シート本体２は固定対象から再剥離可能な材料で形成されているため、ある程度の力を加えることにより固定対象４から剥離することができ、その際には粘着剤などを用いていないため固定対象４に粘着剤や汚れなどを残すことがない。【００１３】  また、固体対象に固定する物は掲示物に限られることはなく、どのようなものでも構わない。
【図面の簡単な説明】
【００１４】
【図１】掲示物固定シートの斜視図
【図２】掲示物固定シートにより掲示物を固定対象に取り付けた状態を示す図
【符号の説明】
【００１５】１…掲示物固定シート
２…シート本体
３…粘着剤層
４…固定対象
５…掲示物
【図１】
0003130082.tif 000004
【図２】
0003130082.tif 000005
(57)【要約】      （修正有）【課題】痴漢からバストを守るため、きちっと体形にあわせ、人の力で外せないようにする。【解決手段】炭素繊維のなかで、曲げられるが、鋏では切れなく、燃えにくい素材で紐をつくる。カップは曲がれなくても良い。購入後、接着剤で体形に合わせて、ＡＡ、ＢＢと、または ＡＢ、ＢＡと接着さす。日々の着用は鍵で行います。鍵は自分の部屋において出かける。ある程度の大きさ以下のバストでは、本当の防痴漢効果はないでしょうが、つけていると痴漢の気持ちを萎えさせる。【選択図】図１
0003130056.tif 000002
【実用新案登録請求の範囲】
【請求項１】
製品を２つのパーツに分割して販売する。消費者は購入後、自分の体に合わせて、調節をして、接着剤で１つの物として使用します。
【考案の詳細な説明】
【背景技術】
【０００１】
接着剤の発達と新素材。例えば炭素繊維の発達。炭素繊維がどのような特許を取っているのかはわかりません。
【考案の開示】
【考案が解決しようとする課題】
【０００２】
防犯のために、家には鍵をかけますが、女性の力は弱いし運動能力は低いのに、無防備です。防犯スプレーがありますが、使う時間の無いときや、使う相手でない場合もあります。そこで、レイプ防止のために、女性に貞操帯をすすめたいのです。それで、キイ  ショーツの実用新案登録願を提出していますが、それの対になるブラジャーを提案します。
【課題を解決するための手段】
【０００３】
本考案は、製品をカップのサイズにして既製品にして、胸囲のサイズは、購入後に自分の体形にあわせる。
【考案の効果】
【０００４】
本考案の製品は  バストを痴漢から守ります。アンダーバストのサイズがいらないので、サイズはカップのサイズだけになる。ある程度の大きさのバストでないと上か下にずれてしまい、本当の防痴漢効果ないが、付けていると言うだけで、多少の精神的防止効果があるでしょう。
【考案を実施するための最良の形態】
【０００５】
鋏で切れない。燃えない素材でバストを守るカップを作ります。カップはサイズが色々ありますが、形はバストを全部覆う形だけです。それに  自由に曲る紐をつけます。購入後、胸囲に合わせて、接着剤で接着する。フロントホックにして、鍵はフロントホックにつけます。
【図面の簡単な説明】
【０００６】
【図１】キイ  ブラジャーの説明図である。  紐は、クロスさせてＡはＡに、ＢはＢに、または、ＡをＢに、ＢをＡに接着剤で接着さす。普段の装着は鍵でする。
【図１】
0003130056.tif 000003
【手続補正書】
【提出日】平成18年12月20日(2006.12.20)
【手続補正２】
【補正対象書類名】実用新案登録請求の範囲
【補正対象項目名】全文
【補正方法】変更
【補正の内容】
【実用新案登録請求の範囲】
【請求項１】
カップ側縁に自由に曲がる紐の一端が付けられ、該紐の他端がカップ側縁に接着剤で接着され、左右カップの間にフロントホックと鍵がつけられているブラジャー。
【手続補正３】
【補正対象書類名】明細書
【補正対象項目名】全文
【補正方法】変更
【補正の内容】
【考案の詳細な説明】
【技術分野】
【０００１】
本考案はブラジャーに関するものである。
【背景技術】
【０００２】
防犯のために、家には鍵をかけるが、女性の力は弱いし、運動能力は低いのに無防備である。防犯スプレーがあるが、使う時間の無い時や、使う相手で無い場合もある。
【考案の開示】
【考案が解決しようとする課題】
【０００３】
本考案は、レイプ防止のために、女性の貞操帯としてブラジャーを提供することを目的とする。
【課題を解決するための手段】
【０００４】
本考案の課題解決の手段のブラジャーは、カップ側縁に自由に曲がる紐の一端が付けられ、該紐の他端がカップ側縁に接着剤で接着され、左右カップの間にフロントホックと鍵が付けられていることである。
【考案の効果】
【０００５】
本考案の製品は、バストを痴漢から守る。アンダーバストのサイズに関係がないので、サイズはカップのサイズだけになる。ある程度の大きさのバストでないと上か下にずれてしまい、本当の防痴漢効果はないが、付けているというだけで、多少の精神的防止効果があると考えられる。
【考案を実施するための最良の形態】
【０００６】
図１において説明する。接着剤の発達と新素材の発達により、これらの材料を使う。例えば、新素材の炭素繊維による鋏で切れないが、燃えない素材でバストを守るカップを作る。カップはサイズが色々ある。形はバスト全部を覆う形とする。カップ側縁の上端付近に自由に曲がる２本の紐の、それぞれの一端を付けておく。使用するときは、胸囲に合わせ、それぞれの紐の他端をカップ側縁に接着剤で接着する。即ち、紐はクロスさせてＡはＡに、ＢはＢに、または、ＡをＢに、ＢをＡに接着剤で接着させる。左右カップの連結・分離はフロントホックで行い、鍵はフロントホックに付けておく。そして、普段のブラジャーの装着は鍵の開閉で行う。
【０００７】
このように、製品を2つのパーツに分割して販売する。消費者は購入後、自分の体に合わせて調節をし、接着剤で１つの物として使用する。
【産業上の利用可能性】
【０００８】
本考案は、女性が自分の身を守るためのブラジャーとして利用される。
【図面の簡単な説明】
【０００９】
【図１】本考案の正面説明図である。
(57)【要約】【課題】  一段ずつ簡単に主柱に取り付け、取り外しができて、その上で安定した姿勢で作業の出来る足場を提供する。【解決手段】  裏を角パイプで裏打ちした、両足で立てる広さのステップ板で、ステップ板から少し突き出た角パイプの一端には主柱に押し当てるための小さな板が取り付けてあり、さらに角パイプの横からは約３０度の角度で上方に向かって主柱を抱きこむように半円状の帯板が伸びており、主柱の反対側に回り込んだその先端には主柱の横桟に掛けて留める逆Ｕ字形の掛け金具を取り付けておく。【選択図】図１
0003130058.tif 000002
【実用新案登録請求の範囲】
【請求項１】
裏側から断面が約６ｃｍｘ３ｃｍの長さ２０ｃｍ程の角パイプで裏打ちしてある、厚さ３ｍｍほどの鋼製の縦約２０ｃｍ、横約３０ｃｍのステップ板で、角パイプの一端は対象物の柱に押し当てるための当て板が取り付けられており、更に角パイプの横からは３０度程の角度で上方に向けて対象物の柱を抱き込むように半円状に曲げられた幅４ｃｍ程、長さ約３０ｃｍの帯板が伸びており、柱の反対側に回り込んだ先端には柱に付いている横桟に掛け止めできるように逆Ｕ字形の掛け金具が取り付けてあることを特徴とする脱着式足場。
【請求項２】
ステップ板の表面に滑り止め加工が施してある事を特徴とする請求項１記載の脱着式足場。
【請求項３】
ステップ板の端にはこの足場を主柱に取り付けたり、外したり、持ち運ぶ時に便利なように取っ手が取り付けてある事を特徴とする請求項１、２記載の脱着式足場。
【考案の詳細な説明】
【技術分野】
【０００１】  防雪柵の主柱に簡単に脱着できる作業用足場に関する。
【背景技術】
【０００２】  従来防雪柵の主柱の建て込み作業の折には梯子を掛けたり、クレーン車を利用したり、あるいは直接主柱の横桟を足場として利用していた。【０００３】  防雪柵は通常路肩に設置してあるので、梯子をかける場合に地面の足場が悪かったり、主柱の横桟を利用する場合でも安定した作業姿勢が取りにくかったりで、作業の安全性に問題があった。
【考案の開示】
【考案が解決しようとする課題】
【０００４】  一段ずつ簡単に主柱に取り付け、取り外しができて、その上で安定した姿勢で作業の出来る足場を提供する。
【課題を解決するための手段】
【０００５】  本考案は上記問題に鑑みてなされたものであり、足場を一段ずつ主柱に取り付けて使用するようになっており、作業員が乗って作業が安定して行える足場の面積を持ち、乗ってもぐらつかない構造にしてある。つまりステップ板は裏側で角パイプに溶接してあり、角パイプの端は主柱に押し当てる板が取り付けてあり、また角パイプからは主柱を抱き込むように半円形に曲げた帯板が伸びて、主柱の反対側に回り込んでその先には横桟に掛けてとめる掛け金具が取り付けてあるような足場。
【考案の効果】
【０００６】  主柱に一段ずつ必要な段数取り付けられ、主柱にしがみつかなくても、その上に安定した姿勢で乗れるので、安全でより効率よく作業が進められる。
【考案を実施するための最良の形態】
【０００７】  両足で立てる広さを持った、滑り止め加工を施してあるステップ板の裏は角パイプで裏打ちしてあり、角パイプとステップ板は要所、要所をリブで繋いで補強してある。またステップ板から少し突き出た角パイプの先端には主柱に押し当てるための板が取り付けてあり、板の両サイドは主柱を挟んでずれないように柱側に向かって少し折り曲げてある。【０００８】  また角パイプからは約３０度の角度で上方に向かって主柱を抱きこむように半円形に曲げた帯板が伸びており、主柱の裏側に回り込んだその先には横桟に掛けて留める逆Ｕ字形をした掛け金具が取り付けてあり、この金具の端は同時に主柱の裏側に密着して、この足場がぐらつかないように保持する役割もしている。
【実施例】
【０００９】  本考案の実施例を図面に基づいて説明すると、図１は本考案の脱着式足場の実施態様を示す斜視図で、図２はそれの裏側を示す斜視図である。ステップ板１は表面に滑り止め加工をした厚さ３．２ｍｍの鋼板で、縦２０ｃｍ、横３０ｃｍであり、断面が６ｃｍｘ３ｃｍ、長さ２０ｃｍ程の角パイプ２で裏打ちしてある。角パイプ２の先には５ｃｍｘ７ｃｍ程の主柱に押し当てるための押し当て板３が主柱を挟み込むように両端を少し曲げた形で取り付けてある。主柱４は図中点線で示してある。【００１０】  またこの足場を主柱にしっかり保持させるための回りこみ金具５は厚さ９ｍｍ、幅４ｃｍ、長さ３０ｃｍ程の帯板を半円状に曲げ、約３０度の角度で上方に向かって主柱の裏側に回り込ませてある。回り込んだ先端には逆Ｕ字形の、横桟に引っ掛けて止めるための掛け金具６が取り付けてある。回り込み金具５の両端はそれぞれ角パイプ２と掛け金具６に溶接し易いように直角に曲げてある。掛け金具６の端は同時に主柱の裏側に密着してこの足場がぐらつかないように保持する役割もしている。【００１１】  更にステップ板の裏側と角パイプの間には補強用のリブ７が要所、要所に取り付けてある。またステップ板の端にはこの足場を主柱に取り付けたり、外したり、持ち運ぶ時に便利なように取っ手８が取り付けてある。
【産業上の利用可能性】
【００１２】以上説明したように、本考案の脱着式足場は簡単な構造ながらしっかりと主柱に取り付けられ、安定した足場となるので、楽な姿勢で作業をすることができ、作業の安全性と効率向上に役立つ。
【図面の簡単な説明】
【００１３】
【図１】本考案の脱着式足場の実施態様を示す斜視図
【図２】図１の裏側を示す斜視図
【符号の説明】
【００１４】  １  ステップ板
２  角パイプ
３  押し当て板
４  主柱
５  回り込み金具
６  掛け金具
７  補強用のリブ
８  取っ手
【図１】
0003130058.tif 000003
【図２】
0003130058.tif 000004
【手続補正書】
【提出日】平成18年11月29日(2006.11.29)
【手続補正１】
【補正対象書類名】実用新案登録請求の範囲
【補正対象項目名】全文
【補正方法】変更
【補正の内容】
【実用新案登録請求の範囲】
【請求項１】
裏側から断面が約６ｃｍｘ３ｃｍの長さ２０ｃｍ程の角パイプで裏打ちしてある、厚さ３ｍｍほど、縦約２０ｃｍ、横約３０ｃｍの鋼板で、前記角パイプの一端には対象物の柱に押し当てるための角パイプ断面より少し大きめの当て板が取り付けられており、更に角パイプの横の当て板の手前あたりからは３０度程の角度で上方に向けて対象物の柱を抱き込むように半円状に曲げられた厚さ約１ｃｍ、幅約４ｃｍ、長さ３０ｃｍ程の帯板が伸びており、前記帯板の柱の反対側に回り込んだ先端には柱に付いている横桟に掛け止めできるように逆Ｕ字形の掛け金具が取り付けてあることを特徴とする脱着式足場。
【請求項２】
ステップ板の表面に滑り止め加工が施してある事を特徴とする請求項１記載の脱着式足場。
【請求項３】
ステップ板の端にはこの足場を主柱に取り付けたり、外したり、持ち運ぶ時に便利なように取っ手が取り付けてある事を特徴とする請求項１または２記載の脱着式足場。
(57)【要約】【課題】空気清浄及び通気、通水機能を兼ね備えたタイルブロックを提供することにある。【解決手段】平面視正多角形の正多角柱体（１２）からなり、その柱体の平面視多角形の各隅部近傍に縦方向に穿孔された貫通孔１４内に、粉末状の竹炭とバインダとを混練して形成した空気清浄化、及び通気、通水機能を備える竹炭混練物１６を充填して一体化したタイルブロック１０から構成される。タイルブロック１０の竹炭混練物１６部分により空気清浄化機能や通気、通水機能を発揮できる。【選択図】図１
0003130010.tif 000002
【実用新案登録請求の範囲】
【請求項１】
平面視正多角形の正多角柱体からなり、
その柱体の平面視多角形の各隅部近傍に縦方向に穿孔された貫通孔内に、粉末状の竹炭とバインダとを混練して形成した空気清浄化、及び通気、通水機能を備える竹炭混練物を充填して一体化したタイルブロック。
【考案の詳細な説明】
【技術分野】
【０００１】
本考案は、例えば、歩道、車庫、土間等に使用されるタイルブロックに関する。
【背景技術】
【０００２】
例えば、歩道、車庫、土間等の表面をタイルブロックを敷き詰めて構成する場合がある。
【考案の開示】
【考案が解決しようとする課題】
【０００３】
しかしながら、従来の歩道、車庫、土間等に使用されるタイルブロックはコンクリート等で形成されており、空気清浄化及び通気、通水機能がなかった。
【０００４】
本考案は、上記従来の課題に鑑みてなされたものであり、その一つの目的は、空気清浄及び通気、通水機能を兼ね備えたタイルブロックを提供することにある。
【課題を解決するための手段】
【０００５】
上記課題を解決するために本考案は、平面視正多角形の正多角柱体（１２）からなり、その柱体の平面視多角形の各隅部近傍に縦方向に穿孔された貫通孔１４内に、粉末状の竹炭とバインダとを混練して形成した空気清浄化、及び通気、通水機能を備える竹炭混練物１６を充填して一体化したタイルブロック１０から構成される。
【考案の効果】
【０００６】
本考案のタイルブロックによれば、平面視正多角形の正多角柱体からなり、その柱体の平面視多角形の各隅部近傍に縦方向に穿孔された貫通孔内に、粉末状の竹炭とバインダとを混練して形成した空気清浄化、及び通気、通水機能を備える竹炭混練物を充填して一体化したことから、例えば、歩道、車庫、土間等に使用された際に空気清浄化機能や通気、通水機能を発揮できる。また、敷き詰められた際には、平面視正多角形の外形輪郭による連続模様と、平面視正多角形の隅部に形成される竹炭混練物による複数のドット模様と、が同時に形成されて、独特な意匠感を得ることができる。
【考案を実施するための最良の形態】
【０００７】
以下添付図面を参照しつつ本考案の実施形態を説明する。本考案のタイルブロックは、例えば、歩道、車庫、土間等の表面に敷き詰められて使用される。図１ないし図５は本考案のタイルブロックの一実施形態を示している。図１ないし図５に示すように、本実施形態のタイルブロック１０は、平面視正多角形の正多角柱体からなり、その柱体の平面視多角形の各隅部近傍に縦方向に穿孔された貫通孔１４内に、粉末状の竹炭とバインダとを混練して形成した空気清浄化、及び通気、通水機能を備える竹炭混練物１６を充填して一体化されている。
【０００８】
タイルブロック１０は、図１、図２、図３に示すように、ブロック本体が平面視正六角形の正六角柱体１２からなり、例えば、コンクリートや石等で形成される。正六角柱体１２は、例えば、その高さが正六角形の一辺の長さと略同じ長さで設定されて形成されている。
【０００９】
図１、図４に示すように、正六角柱体１２の平面視六角形の各隅部近傍には、平面側から底面側に向けて縦方向に穿孔された平面視円形の円柱状の貫通孔１４が穿孔されている。貫通孔１４どうしは、互いに平面視で正六角形の頂点位置となる配置態様となっている。各々の貫通孔１４の内部には、粉末状の竹炭とバインダとを混練した竹炭混練物１６が充填されており、該竹炭混練物１６は正六角柱体１２からなるブロック本体と一体化されている。これらの竹炭混練物１６部分が、空気清浄化、及び通気、通水機能を備えている。
【００１０】
例えば、タイルブロック１０を歩道、車庫、土間等に使用する際には、図５に示すように、複数のタイルブロック１０を正六角形の頂点を合わせつつ互いの側面を密着させながら配置させて、歩道、車庫、土間等の表面に蜂の巣状に敷き詰められる。各タイルブロック１０は、竹炭混練物１６部分により、空気清浄化機能や通気、通水機能を発揮でき、該機能を備えた歩道、車庫、土間等を構成できる。また、平面視正六角形の外形輪郭による蜂の巣様の模様と、平面視正六角形の頂点位置に対応した位置に形成される竹炭混練物による複数のドット模様と、により独特な意匠感を得ることができる。
【産業上の利用可能性】
【００１１】
本考案のタイルブロックは、例えば、歩道、車庫、土間等に敷き詰められて使用される。
【図面の簡単な説明】
【００１２】
【図１】本考案の実施形態に係るタイルブロックの平面図である。
【図２】図１のタイルブロックの正面図である。
【図３】図１のタイルブロックの側面図である。
【図４】図１のＡ−Ａ線断面図である。
【図５】使用状態の例を示す参考斜視図である。
【符号の説明】
【００１３】
１０    タイルブロック
１２    正六角柱体
１４    貫通孔
１６    竹炭混練物
【図１】
0003130010.tif 000003
【図２】
0003130010.tif 000004
【図３】
0003130010.tif 000005
【図４】
0003130010.tif 000006
【図５】
0003130010.tif 000007
(57)【要約】      （修正有）【課題】穿くという動作が必要無く、靴を履いたまま簡便に脱着可能なズボンを提供することを課題とする。【解決手段】縦長方形の生地を使い、片腰部とその下片足部を半筒状に巻き付け、もう片方も同様に半筒状生地を形成し、腰部を互いの半筒状腰部分で結合させ腰部を包み、足部はそれぞれの半筒状長方向の辺同士を結合させて各足部を包むズボンの形状にして穿くという動作を無くし靴を履いたままでも簡便に脱着可能とした。【選択図】図３
0003130077.tif 000002
【実用新案登録請求の範囲】
【請求項１】
右片腰から右片足を包んだ半筒状の生地と、左片腰から左片足を包んだ半筒状の生地を向かい合わせ一つの筒状になった各半筒状を腰部で結合させ腰部を覆う、足部は右足部の半筒状長方向両辺を右足内側で結合し、左足部の半筒状長方向両辺も左足内側で結合させそれぞれの足部を覆うったことを特徴としたズボン。
【考案の詳細な説明】
【技術分野】
【０００１】本考案は、脱着が簡便にできるズボンの構造に関する。
【背景技術】
【０００２】従来のズボンは、図３に示すように穿くという動作が必要で、靴を履いたままでは簡便に脱着できない構造であった。
【考案の開示】
【考案が解決しようとする課題】
【０００３】（１）病人や老人等の要介護者がズボン脱着の為、無理な姿勢をとらなければならなかった。（２）ズボンは、各足部を最初から筒状にしている構造上、靴を履いたまま簡便に脱着が行えなかった。そこで、この考案は、穿くという動作が必要無く、靴を履いたまま簡便に脱着可能なズボンを提供することを課題とする。
【課題を解決するための手段】
【０００４】  以上の課題を解決するために、縦長方形の生地を使い、片腰部とその下片足部を半筒状に巻き付け、同様にもう片方も巻き付け、腰部を互いの半筒状腰部分で結合させ腰部を包み、足部はそれぞれの半筒状長方向の辺同士を結合させて各足部を包むズボンの形状にすることを特徴とする。
【考案の効果】
【０００５】（１）着脱が容易である。（２）狭い場所での着脱が容易である。（３）靴を履いた状態ので着脱が容易である。（４）濡れた状態での着脱が容易である。（５）病人や老人等の要介護者に着脱させるのも容易である。
【考案を実施するための最良の形態】
【０００６】  この考案の一実施形態を、図１、２に示す。
【実施例】以下、本考案の実施の形態について説明する。図１の（ロ）で右片腰から右片足を包んだ半筒状の生地と、図１の（イ）で左片腰から左片足を包んだ半筒状の生地を向かい合わせ一つの筒状になった各半筒状の図１Ｅ・Ｆ部で結合させ腰部を覆う、次に足部は右足部の半筒状長方向両辺図１Ｂ・Ｄを右足内側で結合し、左足部の筒状長方向両辺図１Ａ・Ｃも左足内側で結合させ図２のようなズボンの形状にした。【０００７】「実施形態の効果」（１）着脱が容易である。（２）病人や老人等の要介護者に着脱させるのも容易である。（３）靴を履いた状態ので着脱が容易である。（４）濡れた状態での着脱が容易である。（５）狭い場所での着脱が容易である。【０００８】「他の実施形態」
【図面の簡単な説明】
【０００９】
【図１】この考案の一実施形態を示す展開的斜視図である。
【図２】この考案の一実施形態を示す斜視図である。
【図３】従来技術を示す斜視図である。
【符号の説明】
【００１０】（イ）（ロ）――――――生地Ａ・Ｂ・Ｃ・Ｄ―――――長方向辺Ｅ・Ｆ―――――――――腰部結合部分
【図１】
0003130077.tif 000003
【図２】
0003130077.tif 000004
【図３】
0003130077.tif 000005